(57)【要約】      （修正有）【課題】電気装置等を収納する防水箱体において、害虫による接触破壊を防止し、自由開口の大きさを調整して換気速度を変更できる防水通気栓を提供する。【解決手段】固定台２１と、中空螺子２３と、複数の弧形凸柱２５と、を含み、該固定台中央に通気孔２１１を有し、該中空螺子が該固定台一側に形成され、該通気孔と連通し、前記弧形凸柱の外縁にねじ山部２５３を設け、該弧形凸柱が該固定台他側の通気孔周囲に環設され、該弧形凸柱の間隔の隙間を自由開口２５５とする栓体２を形成する。さらに、該弧形凸柱に結合する防水通気膜３と、ナット５３を含み、該ナット内側に凹溝を形成し、該凹溝５５周縁が内ねじ山壁５７である蓋体とを備える。また、気体弁装置５１を該蓋体の凹溝内に結合し、内ねじ山壁と間隔を保持し、前記栓体の弧形凸柱のねじ山部を該間隔中にねじ込み、該ねじ山壁と螺合し、同時に前記気体弁装置を該弧形凸柱内側に貫通設置させて、防水通気栓を構成する。【選択図】図３
0003175739.tif 000002
【実用新案登録請求の範囲】
【請求項１】
固定台と、中空螺子と、複数の弧形凸柱と、を含み、該固定台中央に通気孔を有し、該中空螺子が該固定台一側に形成され、該通気孔と連通し、前記弧形凸柱の外縁にねじ山部を設け、該弧形凸柱が該固定台他側の通気孔周囲に環設され、該弧形凸柱の間隔の隙間が自由開口を定義する栓体と、
該弧形凸柱に結合する防水通気膜と、
ナットを含み、該ナット内側に凹溝を形成し、該凹溝周縁が内ねじ山壁である蓋体と、
気体弁装置であって、前記気体弁装置が該蓋体の凹溝内に結合し、内ねじ山壁と間隔を保持し、前記栓体の弧形凸柱のねじ山部が該間隔中にねじ込まれ、該ねじ山壁と螺合し、同時に前記気体弁装置が該弧形凸柱内側に貫通設置される気体弁装置と、
を含む防水通気栓。
【請求項２】
更に、第１防護網を該弧形凸柱内に結合し、該防水通気膜一側に抵抗を持たせる請求項１に記載の防水通気栓。
【請求項３】
前記防水通気膜が更にジャケットを結合し、該ジャケットは、スリーブ、第１気孔、挟持蓋を含み、該スリーブが挟持蓋一側に形成され、該第１気孔が他側に形成され、該挟持蓋中間に第２気孔を有し、該防水通気膜が該ジャケット中に結合され、該挟持蓋が該スリーブに結合され、前記ジャケットが複数の弧形凸柱内に結合する請求項２に記載の防水通気栓。
【請求項４】
前記ジャケットが更に箱体を結合し、該箱体は、開口、第３気孔、箱蓋を含み、該開口が箱体一側に形成され、該第３気孔が箱体他側に形成され、該箱蓋中間に第４気孔を有し、該ジャケットが箱体内に結合され、前記箱蓋が更に開口を結合する請求項３に記載の防水通気栓。
【請求項５】
前記ジャケットが更に第２防護網を防水通気膜一側及び挟持蓋の間に結合し、前記第１防護網が相対して該防水通気膜及びジャケット内側の間に設けられる請求項３に記載の防水通気栓。
【請求項６】
前記第１防護網及び防水通気膜の間に更に第１気孔パッドを結合し、該第２防護網及び防水通気膜の間に更に第２気孔パッドを結合し、該第１気孔パッド及び第２気孔パッドが両側から該防水通気膜を挟持し、前記第２防護網及び第１防護網が両側からそれぞれ第１気孔パッド及び第２気孔パッドを挟持する請求項５に記載の防水通気栓。
【請求項７】
前記挟持蓋の一側縁に外凸縁に環設し、外凸縁の他側に相対し、複数の凸ブロックを環設し、前記ジャケットのスリーブに内凸縁を環設し、該挟持蓋の外凸縁が該スリーブの内凸縁に嵌合し、該ジャケットが複数の弧形凸柱内に結合し、同時に該自由開口が該凸ブロックを嵌合固定し、該ジャケットが凸ブロックの一側面に複数の嵌合エッジを設け、前記蓋体が結合する気体弁装置が弧形凸柱内側に貫通設置され、該気体弁装置の自由端が該嵌合エッジに係止する請求項３又は請求項５に記載の防水通気栓。
【請求項８】
前記ジャケットが更に箱体を結合し、該箱体が開口、第３気孔を含み、該開口が箱体一側に形成され、該第３気孔が他側に形成され、該ジャケットが箱体内に結合し、
前記気体弁装置が本体、複数の弁片を含み、該気体弁装置の弁片が垂直に間隔を置いて本体上に環設され、該本体が第４気孔を有し、該気体弁装置が箱体の開口に結合し、同時に該気体弁装置の複数の弁片の自由端が該ジャケットを支持し、滑動しないよう固定することに用い、該蓋体が更に、弧形凸柱のねじ山部に螺合し、結合し、該気体弁装置が蓋体の凹溝内に結合し、該本体が該蓋体の凹溝の係止を受け、該第１防護網が該弧形凸柱内に結合し、箱体一側に抵抗を持たせる請求項３に記載の防水通気栓。
【請求項９】
前記スリーブが内凸縁を設け、該挟持蓋の一側縁に外凸縁を環設し、該外凸縁が内凸縁内に嵌合することに用いる請求項７に記載の防水通気栓。
【考案の詳細な説明】
【技術分野】
【０００１】
本考案は、防水箱体の防水通気栓に関し、特に、抗害虫破壊防水通気膜を有する防水通気栓に関する。
【背景技術】
【０００２】
市場の電気箱装置は、１つの孔を開設し、従来の防水通気栓を結合し、内部の湿気を排除することに用いており、該従来の防水通気栓の構造中には、防水通気膜を含み、該防水通気栓の流体通路中に固定され、流体、例えば、水分が電気箱装置内部に進入することを防止することに用い、気体を該電気箱装置内外で流通できるようにし、湿気から受ける危害を低減するが、実際の使用において、該防水通気膜は、往々にして害虫に喰われるか、ギ酸の侵食破壊を受ける。
【０００３】
上記電気箱装置の大きさは、一般に更に変動せず、該箱体上の防水通気栓固定孔も孔径を更に変更することは容易でないので、その上に設置する従来の防水通気栓の気体換気速度は、箱体内部が湿気を受ける問題を克服することが困難である。
【０００４】
従来の防水通気膜（布）は、防水通気膜（布）材質は、薄く、防水通気栓の気体流路中に設置固定することが容易でなく、且つ環境温湿度等の影響を受け、収縮変形し、防水通気薄膜の機能を失効する。
【先行技術文献】
【特許文献】
【０００５】
【特許文献１】登録実用新案第３１６４３７５号公報
【考案の概要】
【考案が解決しようとする課題】
【０００６】
従来技術の問題、即ち、防水通気膜が容易に害虫に接触破壊され、防水通気栓の空気が進出する開口の大きさが固定され、気体流量を調節することができず、部品の組み立てが容易でなく、且つ防水通気膜が環境温湿度の影響を受け、収縮変形し易い等の問題を克服する。
【課題を解決するための手段】
【０００７】
本考案は、防水通気栓を提供し、防護網を利用し、該弧形凸柱内に結合し、防水通気膜の一側又は両側に抵抗を持たせることに用い、害虫が該防水通気膜を接触破壊することを防止し、また、本考案は、防水通気栓の空気が入出する自由開口の大きさを変調し、防水通気栓の自由開口の口径を大きくし、電気箱装置に使用する換気速度を増加させ、各種電気箱装置に適用できる。
【０００８】
本考案は、更にジャケット又は箱体を提供し、該ジャケット内部に前記防水通気膜を結合し、緊密に固定結合し、防水通気膜が収縮変形せず、或いは、該ジャケットが該箱体内に結合し、防水通気栓内部に組み付け又は交換が全体的に容易である。
【０００９】
本考案が提供する防水通気栓は、
固定台と、中空螺子と、複数の弧形凸柱と、を含み、該固定台中央に通気孔を有し、該中空螺子が該固定台一側に形成され、該通気孔と連通し、前記弧形凸柱の外縁にねじ山部を設け、該弧形凸柱が該固定台他側の通気孔周囲に環設され、該弧形凸柱の間隔の隙間が自由開口を定義する栓体と、
該弧形凸柱中間に設けられ、該通気孔上に結合する防水通気膜と、
該弧形凸柱内に結合し、該防水通気膜一側に抵抗を与えることに用いる第１防護網と、
ナットを含み、該ナット内側に凹溝を形成し、該凹溝周縁が内ねじ山壁である蓋体と、
気体弁装置であって、前記気体弁装置が該蓋体の凹溝内に垂直結合し、内ねじ山壁と間隔を保持し、前記弧形凸柱のねじ山部が該間隔中にねじ込まれ、該ねじ山壁と螺合し、同時に前記気体弁装置が該弧形凸柱内側に貫通設置され、同時に該防護網上に押し上げられる気体弁装置と、
を含む。これにより該蓋体の該気体弁装置に対する回転を微調整し、該自由開口の大きさを遮蔽変調する。
【考案の効果】
【００１０】
本考案及び従来の防水通気栓の比較において、本考案は、防護網を利用し、該弧形凸柱内に結合し、防水通気膜の一側又は両側に抵抗をもたせることができ、害虫が該防水通気膜を接触破壊することを防止し、本考案は、防水通気栓の空気が入出する自由開口の大きさを変調することができ、防水通気栓の自由開口口径を大きくし、電気箱装置に使用する換気速度を加速し、各種電器箱装置に適用する。
【００１１】
本考案は、更に、ジャケット又は箱体を提供し、該ジャケット内部に前記防水通気膜を結合し、緊密に固定結合し、防水通気膜が収縮変形せず、或いは、該ジャケットが該箱体内に結合し、防水通気栓内部に組み付け又は交換が全体的に容易である。
【図面の簡単な説明】
【００１２】
【図１Ａ】本考案の実施例の組み合わせ断面図である。
【図１Ｂ】図１Ａの蓋体断面図である。
【図２】図１Ａの分解立体図である。
【図３】本考案の実施例の分解立体図である。
【図４】図３の実施方式の分解立体図である。
【図５Ａ】図３のジャケット断面図である。
【図５Ｂ】図５Ａの結合断面図である。
【図６】図３又は図４の組み合わせ断面図である。
【図７Ａ】本考案の実施例の箱体分解断面図である。
【図７Ｂ】図７Ａの箱体がジャケット及び防水通気膜と結合した断面図である。
【図７Ｃ】図７Ｂの分解立体説明図である。
【図７Ｄ】本実施例の蓋体が結合した気体弁装置の短縮断面図である。
【図８】本実施例の組み合わせ説明図である。
【図９Ａ】本考案の他の実施例の分解断面図である。
【図９Ｂ】図９Ａお他の実施方式の分解断面図である。
【図１０Ａ】図９Ａ又は図９Ｂのジャケット分解説明図である。
【図１０Ｂ】図１０Ａの他の実施方式の分解説明図である。
【図１１】本実施例の組み合わせ断面図である。
【図１２Ａ】本考案が示す実施例の箱体の気体弁措置断面図である。
【図１２Ｂ】図１２Ａのジャケットを結合した断面図である。
【図１２Ｃ】図１２Ｂの分解立体図である。
【図１２Ｄ】本実施例の蓋体断面図である。
【図１３】本実施例の組み合わせ断面図である。
【考案を実施するための形態】
【００１３】
本考案の特徴及び特長を分かり易くする為、以下に実施例を挙げ、図面に併せて説明する。
【００１４】
図１Ａ、図１Ｂ、図２を参照し、それは、本考案の好適実施例が提供する防水通気栓であり、以下を含む：
栓体２、少なくとも１つの防水通気膜（布）３及び蓋体５であって、そのうち、該栓体２は、固定台２１と、中空螺子２３と、複数の弧形凸柱２５と、を含み、該固定台２１中央に通気孔２１１を有し、該中空螺子２３が該固定台２１一側に形成され、該通気孔２１１と連通氏、前記弧形凸柱２５の外縁２５１部分にねじ山部２５３を設け、該弧形凸柱２５が該固定台２１他側の通気孔２１１周囲に環設され、該弧形凸柱２５の間隔隙間が自由開口２５５を定義する。該防水通気膜（布）３が該弧形凸柱２５内に結合し、本実施例の防水通気膜３が該通気孔２１１上に隣接され、該蓋体５がナット５３を含み、本実施例において、該ナット５３内側に凹溝５５を形成し、該凹溝５５周縁は、内ねじ山壁５７である。
【００１５】
気体弁装置５１であって、蓋体５の凹溝５５内に結合し、該気体弁装置５１が複数の弁片５１３を含み、前記気体弁装置５１の弁片５１３が該蓋体５の凹溝５５内に垂直結合し、内ねじ山壁５７と間隔６９を保持し、前記栓体２の弧形凸柱２５のねじ山部２５３は、該蓋体５が接続する気体弁装置５１及び該ねじ山壁５７の間隔５９中にねじ込まれ、該内ねじ山壁５７と螺合し、前記蓋体５は、同時に該栓体２の自由開口２５５一部分を覆い、他部分の自由開口２５５を露出し、気体を自由開口２５５から通気栓へ進出しさせ、換気することに用い、同時に前記気体弁装置５１が該弧形凸柱２５内側に貫通設置される。
【００１６】
本実施例において、該気体弁装置５１が複数の弁片５１３を含み、垂直環設の設置方式により該凹溝５５内に結合し、該気体弁装置５１の自由端部は、弧形凸柱２５内部の部材を押し上げることに用いる。
【００１７】
更に、本実施例は、第１防護網９を結合し、該第１防護網９が複数の弧形凸柱２５内に結合し、防水通気膜３一側に抵抗を持たせる。前記気体弁装置５１は、第１防護通気網９に支持され、該第１防護網９は、更に防水通気膜３一側に到達して接し、それは、防水通気膜３の収縮変形又は移動を固定防止することもでき、そのうち、該弧形凸柱２５又は該気体弁装置５１は、それぞれ４片である。
【００１８】
これにより、第１防護網９は、該弧形凸柱２５内に結合し、防水通気膜３の一側に抵抗を持たせ、害虫が複数の自由開口２５５から本考案に進入する時、該第１防護網９が防水通気膜３の前を遮蔽し、害虫が該防水通気膜３を接触破壊することを防止する。左右横方向に該蓋体５の該気体弁装置５１に対する回転を微調整し、該自由開口２５５の大きさを遮蔽変調し、気体通路の大きさを変更し、本考案を電気箱（図示せず）に結合させる時、電気箱が本考案の防水通気栓により自由端開口の口径の拡大又は縮小を変調し、気体通路の大きさを変更し、電気箱内外の気体の換気速度を変更する。
【００１９】
前記気体弁装置５１は、弧形滑動片であり、上記栓体２の複数の弧形凸柱２５に合わせ、該弧形の気体弁装置５１に前記自由開口２５５の遮蔽を変調させ、より円滑に緊密にする。
【００２０】
図３、図４、図５Ａ、図５Ｂ、図６を参照し、本考案の他の実施方式は、該防水通気膜３が更にジャケット２２を結合し、該ジャケット２２内は、部材を入れることができる収容空間であり、該ジャケット２２は、スリーブ２２１、第１気孔２２３、挟持蓋２２５を含み、該スリーブ２２１がジャケット２２一側に形成され、該第１気孔２２３が他側に形成され、該挟持蓋２２５中間に第２気孔２２５１を有し、該防水通気膜３が該ジャケット２２中に結合され、該ジャケット２２５が該スリーブ２２１に結合し、前記ジャケット２２が該弧形凸柱２５内の通気孔２２１上に結合し、そのうち、該第１防護網９が該ジャケット２２外側に隣接するか、該第１防護網９が該ジャケット２２内に設けられ、該防水通気膜３一側に抵抗を持たせることに用いられ、何れも害虫が進入し、防水通気膜３を接触破壊することを防止することができ、本実施例の図６において、該第１防護網９は、ジャケット２２外側に設けられ、これにより蓋体５の内ねじ山５７が弧形凸柱２５のねじ山部２５３に螺合し、該気体弁装置５１の字痛嘆が該第１防護網９を支持し、該第１防護網９が、更に、該ジャケット２２一側に抵抗を持たせる。
【００２１】
前記第１気孔２２３又は第２気孔２２５１（図３参照）の気孔の態様は、複数の小孔であり、通気流路として用いられる以外に、同時により大きな面積で該防水通気膜３を挟持することができ、サンドイッチ構造を形成し、該防水通気膜３が緊密固定を受け、容易に滑動変形せず、図４を参照し、もう１つの気孔の態様は、前記第１気孔２２３又は第２気孔２２５１の気孔の態様は、大孔であり、ジャケット２２が該防水通気膜３周縁を挟持することができ、サンドイッチ構造を形成し、該防水通気膜３が緊密固定を受け、容易に滑動変形することがない。
【００２２】
該防水通気膜３が該ジャケット２２中に結合し、全体的に手に持ち、防水通気栓の弧形凸柱２５内部に容易に設置し、組み付けが迅速で便利である。
【００２３】
図７Ａ、図７Ｂ、図７Ｃ、図７Ｄ、図８を参照し、本考案の実施例において、該ジャケット２２が更に、箱体２４を結合し、該箱体２４が例えば、軟性材質又は金属で製造され、本実施例は、ゴム又はプラスチック製材質で製造され、該箱体２４は、開口２４１、第３気孔２４３、箱蓋２４５を含み、該開口２４１が箱体２４一側に形成され、該第３気孔２４３が箱体２４他側に形成され、該箱蓋２４５中間に第４気孔２４５１を有し、該ジャケット２２が箱体２４内に結合し、前記箱蓋２４５が開口２４１を更に結合し、そのうち、異なるのは、該気体弁装置５１の高さが縮減し、結合する箱体２４の深さに適合し、箱体２４を弧形凸柱２５内に押し上げ固定することに用い（図７Ｄ、図８参照）、本実施例中の図面（図８参照）において、該第１防護網９は、箱体２４外側に設けられ、従って、該気体弁装置５１の自由端が該第１防護網９を押し上げ、該第防護網９が更に箱蓋２４一側に係止し、害虫が箱体２４、ジャケット２２及び防水通気膜３を接触破壊することを妨げる。
【００２４】
図８を参照し、本考案は、電気箱（図示せず）を結合し、その外部空気は、自由端２５５から第１防護網９、第４気孔２４５、第１気孔２２３、防水通気膜３、第２気孔２２５１、第３気孔２４３、通気孔２１１を通過し、電気箱内の気体と流通換気する。これにより、該ジャケット２２及びそのうちの防水通気膜３が該箱体２４の保護を受けて変形滑動せず、完全な密合及び完全な防水程度を達成する。
【００２５】
図３、図５Ａ、図５Ｂを参照し、前後の各実施例において、該スリーブ２２１は、更に、内凸縁２２１１を設ける。該ジャケット２２５の一側縁に外凸縁２２５２を設け、該外凸縁２２５２が内凸縁２２１１内に嵌合し、該防水通気膜３をジャケット２２中に迅速に結合又は交換することができる。
【００２６】
図９Ａ、図９Ｂ、図１０Ａ、図１０Ｂ、図１１を参照し、それは、本考案の実施例であり、本実施例図中、該弧形凸柱２５が６片を有し、前記実施例の４片の弧形凸柱２５の機能と同一であるので、ここでは再度記載しない。そのうち、異なるのは、該ジャケット２２が更に、第２防護網９０をジャケット２２内の防水通気膜３及び挟持蓋２２５の間に結合することである。また、前記第１防護網９が第２防護網９０に相対し防水通気膜３及びジャケット２２内側の間に設けられ、本考案の防水通気栓の中空螺子２３が電気箱を（図示せず）を貫通結合し、その内部に存在し得る害虫は、電気箱内から中空螺子２３を経て防水通気栓に進入し、該第２防護網９０が一側において、該害虫が前記防水通気膜３を接触破壊することを阻止し、第１防護網９が他側の自由端の開口２５５方向から進入する害虫を阻止する。
【００２７】
更に、該第１防護網９及び防水通気膜３の間に更に第１気孔パッド４を結合し、該第２防護網９０及び防水通気膜３の間に更に第２気孔パッド４０を結合し、第１気孔パッド４及び第２気孔パッド４０が両側から該防水通気膜３を通気可能に挟持し、前記第２防護網９０及び第１防護網９が両側からそれぞれ第１気孔パッド４、及び第２気孔パッド４０を挟持し、害虫の破壊を阻止する。
【００２８】
更に、該挟持蓋２２５の一側縁に外凸縁２２３１を設け、及び外凸縁２２３１の他側縁に複数の凸ブロック２２３３を環設し、前記ジャケット２２のスリーブ２２１に内凸縁２２１１を環設し、前記弧形凸柱２５との間隔隙が定義する自由開口２５５が複数の嵌合溝の作用を形成し、該挟持蓋２２５の外凸縁２２３１が該スリーブ２２１の内凸縁２２１１（図１１参照）に嵌合し、前記気体弁装置５１が弧形凸柱２５内側に貫通設置され、同時に該嵌合溝作用の自由開口２５５が該凸ブロック２２３３を嵌合固定する。
【００２９】
該ジャケット２２が凸ブロック２２３３の一側面に複数の嵌合エッジ２２３５を設け、本実施例図において、該ジャケット２２が前記実施例と異なる方向に弧形凸柱２５中に入れられ、前記蓋体５が結合する気体弁装置５１が弧形凸柱２５内側に貫通設置され、該気体弁装置５１の自由端が該嵌合エッジ２２３５に係止する。
【００３０】
本考案の防水通気栓が結合する電気箱は、振動機械上に応用され、該複数の嵌合エッジ２２３５は、該蓋体５内側の気体弁装置５１の自由端を押し上げ、該蓋体５の回転を減衰させることができ、振動に抵抗することに用い、蓋体５及び蓋体５が支持する第１防護網９、防水通気膜３又はジャケット２２に緩みの影響が発生することを防止する。
【００３１】
図１２Ａ、図１２Ｂ、図１２Ｃ、図１２Ｄ、図１３を参照し、それは、本考案の実施例であり、該防水通気膜３がジャケット２２中に設けられ、そのうち、前記実施例と異なるのは、該ジャケット２２が更に箱体２４を結合し、該箱蓋２４は、例えば、軟性材質又は金属で製造され、本実施例は、ゴム又はプラスチック材質から選択して製造され、該箱蓋２４が開口２４１、第３気孔２４３を含み、該開口２４１が箱体２４一側に形成され、該第４気孔２４５１が他側に形成され、該ジャケット２２が箱体２４内に結合する。
【００３２】
前記気体弁装置５１は、本体５１１、複数の弁片５１３を含み、該気体弁装置５１の弁片５１３が本体５１１上に垂直に間隔を置いて環設され、該本体５１が第４気孔５１２を有し、そのうち、前記実施例と異なるのは、気体弁装置５１が本実施例において、同時に箱蓋の効果を有し、前記その他の実施例において、本実施例の図１２Ａの構造は、該部材を単独製造することに便利であり、その機能は、前記各例と同一であり、ここでは再度記載せず、本実施例の該気体弁装置５１は、箱体２４の開口２４１に結合し、同時に、該気体弁装置５１の複数の弁片５１３の自由端が該ジャケット２２を支持し、滑動しないよう固定することに用い、箱体２４５も弧形凸柱２５中に結合又は取り出しすることに便利であり、該蓋体５は、更に弧形凸柱２５のねじ山段２５３に螺合し、結合し、該気体弁装置５１が蓋体５の凹溝５５内に結合することにより、該本チア５１１が該蓋体５の凹溝５５の係止を受け、そのうち、該第１防護網９が該弧形凸柱２５内に結合し、箱体２４５一側に抵抗を持たせることにより、害虫が箱体２４５及びジャケット２２に進入し、防水通気膜３を破壊することを阻み、同時に該気体弁装置５１の複数の弁片５１３の自由端は、支持し、滑動しないように固定することに用い、その機能は、前記実施例と同一であるので、ここでは再度記載しない。
【００３３】
前記任意の１つの実施例は、そのうち、第１防護網９又は第２防護網９０が金属又はプラスチック又は繊維で製造される防護網である。Ｏ形環７は、中空螺子２３上に貫通して被せ、該中空螺子２３が電気箱の固定孔中に貫通設置され、該締結ナット６が更に前記電気箱の中空螺子２３上に貫通して被せられる。
【００３４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３５】
２  栓体
２１  固定台
２１１  通気孔
２２  ジャケット
２２１  スリーブ
２２１１  内凸縁
２２３  第１気孔
２２３１  外凸縁
２２３３  凸縁
２２３５  複数の嵌合エッジ
２２５  挟持蓋
２２５１  第２気孔
２２５２  外凸縁
２３  中空螺子
２４  箱体
２４１  開口
２４３  第３気孔
２４５  箱蓋
２４５１  第４気孔
２５  弧形凸柱
２５１  外縁
２５３  ねじ山部
２５５  自由開口
３  防水通気膜
４  第１気孔パッド
４０  第２気孔パッド
５  蓋体
５１  気体弁装置
５１２  第４気孔
５１３  弁片
５３  ナット
５５  凹溝
５７  内ねじ山壁
５９  間隔
６  締結ナット
７  Ｏ形環
９  第１防護網
９０  第２防護網
【図１Ａ】
0003175739.tif 000003
【図１Ｂ】
0003175739.tif 000004
【図２】
0003175739.tif 000005
【図３】
0003175739.tif 000006
【図４】
0003175739.tif 000007
【図５Ａ】
0003175739.tif 000008
【図５Ｂ】
0003175739.tif 000009
【図６】
0003175739.tif 000010
【図７Ａ】
0003175739.tif 000011
【図７Ｂ】
0003175739.tif 000012
【図７Ｃ】
0003175739.tif 000013
【図７Ｄ】
0003175739.tif 000014
【図８】
0003175739.tif 000015
【図９Ａ】
0003175739.tif 000016
【図９Ｂ】
0003175739.tif 000017
【図１０Ａ】
0003175739.tif 000018
【図１０Ｂ】
0003175739.tif 000019
【図１１】
0003175739.tif 000020
【図１２Ａ】
0003175739.tif 000021
【図１２Ｂ】
0003175739.tif 000022
【図１２Ｃ】
0003175739.tif 000023
【図１２Ｄ】
0003175739.tif 000024
【図１３】
0003175739.tif 000025